(57)【要約】
【課題】　従来のものは、竿に固定された金具に、旗をひもで固定するよう構成されているので、風向きが変わると旗が竿に絡んでしまう。この改善策として、旗布が旗棒に絡むことのない手旗用旗棒が提案されている。しかし、旗布の一端に旗棒挿入用の袋部を形成することが条件となっており、これでは特殊な旗布を用意する必要があるなどの問題がある。
【解決手段】　旗竿２と、旗竿２の上方部分に取付けられた回転パイプ部３と、回転パイプ部３の側面に固定された旗取付け用クサリ部４から構成されている。
【選択図】　図１
0003100306.tif 000002
【実用新案登録請求の範囲】
【請求項１】
旗竿（２）と、この旗竿（２）の上方部分に回転自在に取付けられた回転パイプ部（３）と、回転パイプ部（３）の側面に上端と下端が固定された旗取付け用クサリ部（４）から構成されていることを特徴とする工事用旗回転装置。
【請求項２】
旗竿（２）と、この旗竿（２）の上方部分に回転自在に取付けられた回転パイプ部（３）と、回転パイプ部（３）の側面に上端と下端が固定された旗取付け用クサリ部（４）から構成され、
　旗竿（２）は所定長さの縦パイプ（２Ａ）で構成され、
　回転パイプ部（３）は、インナーキャップ（３Ａ）と、アウターパイプ（３Ｂ）から構成され、インナーキャップ（３Ａ）は、縦パイプ（２Ａ）の上面軸心に取付けられた上方に向け球面が形成された上方突起（３Ａ３）で構成され、アウターパイプ（３Ｂ）は、アウターパイプ体（３Ｂ１）とアウターキャップ（３Ｂ２）から構成され、アウターパイプ体（３Ｂ１）は、所定長さの縦パイプ（３Ｂ１１）で構成され、旗竿（２）の上方部分に回動可能の状態で装着され、アウターキャップ（３Ｂ２）における下面は略半円状の球面（３Ｂ２３）に形成され、インナーキャップ（３Ａ）の上方突起（３Ａ３）の上面に、アウターキャップ（３Ｂ２）の球面（３Ｂ２３）を当接する状態でかぶせると共に、アウターパイプ体（３Ｂ１）の上端とアウターキャップ（３Ｂ２）の下端が連結され、
　旗取付け用クサリ部（４）におけるアウターパイプ（３Ｂ）の側面に沿って縦に配される所定長さのクサリ（４Ａ）は、上下端を回転パイプ部（３）に連結するアウターパイプ（３Ｂ）における上下端に連結され、
　旗（５）の上下の取付けひも（５Ａ）をクサリ（４Ａ）に結束取付けるよう構成されていることを特徴とする工事用旗回転装置。
【請求項３】
旗竿（２）と、この旗竿（２）の上方部分に回転自在に取付けられた回転パイプ部（３）と、回転パイプ部（３）の側面に上端と下端が固定された旗取付け用クサリ部（４）から構成され、
　旗竿（２）は所定長さの縦パイプ（２Ａ）で構成され、
　回転パイプ部（３）は、インナーキャップ（３Ａ）と、アウターパイプ（３Ｂ）から構成され、インナーキャップ（３Ａ）は、縦パイプ（２Ａ）の上端面に当接する円盤（３Ａ１）と、円盤の下面軸心に垂下された縦パイプ（２Ａ）の上端開口部に嵌着固定された下方突起（３Ａ２）と、円盤の上面軸心に上方に向け突設された上端が球面に形成された上方突起（３Ａ３）から構成され、アウターパイプ（３Ｂ）は、アウターパイプ体（３Ｂ１）とアウターキャップ（３Ｂ２）から構成され、アウターパイプ体（３Ｂ１）は、所定長さの縦パイプ（３Ｂ１１）で構成され、旗竿（２）の上方部分に回動可能の状態で装着され、アウターキャップ（３Ｂ２）は、天板（３Ｂ２１）と、この天板の下面外周に連設された側壁（３Ｂ２２）からなり、天板（３Ｂ２１）の下面は略半円状の球面（３Ｂ２３）が形成され、インナーキャップ（３Ａ）の上方突起（３Ａ３）の上面に、アウターキャップ（３Ｂ２）の球面（３Ｂ２３）を当接する状態でかぶせると共に、当該インナーキャップ（３Ａ）の円盤（３Ａ１）と縦パイプ（２Ａ）の上端が連結され、アウターパイプ体（３Ｂ１）の上端とアウターキャップ（３Ｂ２）の下端が連結され、
　旗取付け用クサリ部（４）は、アウターパイプ（３Ｂ）の側面に沿って縦に配される所定長さのクサリ（４Ａ）と、クサリ（４Ａ）の上下端を回転パイプ部（３）に連結するアウターパイプ（３Ｂ）における上下端に取付けられた上方バンド（４Ｂ）と、下方バンド（４Ｃ）から構成され、
　旗（５）の上下の取付けひも（５Ａ）をクサリ（４Ａ）に結束取付けるよう構成されていることを特徴とする工事用旗回転装置。
【考案の詳細な説明】
【技術分野】
【０００１】
　本考案は、新規な構成を有する工事用旗回転装置に関するものである。
【背景技術】
【０００２】
　従来、この種のものにあっては、下記のようなものになっている。
　竿に固定された金具に、旗をひもで固定するよう構成されているので、風向きが変わると旗が竿に絡んでしまう。図中、６は従来の竿、７は旗である。
【０００３】
　この改善策として、旗布が旗棒に絡むことのない手旗用旗棒が提案されている。
「特許文献１」参照。
【特許文献１】特開２００３−１３１６０２号公報
【考案の開示】
【考案が解決しようとする課題】
【０００４】
　解決しようとする問題点は、旗布の一端に旗棒挿入用の袋部を形成することが条件となっており、これでは特殊な旗布を用意する必要がある。
【課題を解決するための手段】
【０００５】
　請求項１記載の考案は、旗竿２と、この旗竿２の上方部分に回転自在に取付けられた回転パイプ部３と、回転パイプ部３の側面に上端と下端が固定された旗取付け用クサリ部４から構成されていることを特徴とするものである。
【０００６】
　請求項２記載の考案は、旗竿２と、この旗竿２の上方部分に回転自在に取付けられた回転パイプ部３と、回転パイプ部３の側面に上端と下端が固定された旗取付け用クサリ部４から構成され、
　Ａ．旗竿２は所定長さの縦パイプ２Ａで構成され、
　Ｂ．回転パイプ部３は、インナーキャップ３Ａと、アウターパイプ３Ｂから構成され、インナーキャップ３Ａは、縦パイプ２Ａの上面軸心に取付けられた上方に向け球面が形成された上方突起３Ａ３で構成され、アウターパイプ３Ｂは、アウターパイプ体３Ｂ１とアウターキャップ３Ｂ２から構成され、アウターパイプ体３Ｂ１は、所定長さの縦パイプ３Ｂ１１で構成され、旗竿２の上方部分に回動可能の状態で装着され、アウターキャップ３Ｂ２における下面は略半円状の球面３Ｂ２３に形成され、インナーキャップ３Ａの上方突起３Ａ３の上面に、アウターキャップ３Ｂ２の球面３Ｂ２３を当接する状態でかぶせると共に、アウターパイプ体３Ｂ１の上端とアウターキャップ３Ｂ２の下端が連結され、
　Ｃ．旗取付け用クサリ部４におけるアウターパイプ３Ｂの側面に沿って縦に配される所定長さのクサリ４Ａは、上下端を回転パイプ部３に連結するアウターパイプ３Ｂにおける上下端に連結され、
　Ｄ．旗５の上下の取付けひも５Ａをクサリ４Ａに結束取付けるよう構成されていることを特徴とするものである。
【０００７】
　請求項３記載の考案は、旗竿２と、この旗竿２の上方部分に回転自在に取付けられた回転パイプ部３と、回転パイプ部３の側面に上端と下端が固定された旗取付け用クサリ部４から構成され、
　Ａ．旗竿２は所定長さの縦パイプ２Ａで構成され、
　Ｂ．回転パイプ部３は、インナーキャップ３Ａと、アウターパイプ３Ｂから構成され、インナーキャップ３Ａは、縦パイプ２Ａの上端面に当接する円盤３Ａ１と、円盤の下面軸心に垂下された縦パイプ２Ａの上端開口部に嵌着固定された下方突起３Ａ２と、円盤の上面軸心に上方に向け突設された上端が球面に形成された上方突起３Ａ３から構成され、アウターパイプ３Ｂは、アウターパイプ体３Ｂ１とアウターキャップ３Ｂ２から構成され、アウターパイプ体３Ｂ１は、所定長さの縦パイプ３Ｂ１１で構成され、旗竿２の上方部分に回動可能の状態で装着され、アウターキャップ３Ｂ２は、天板３Ｂ２１と、この天板の下面外周に連設された側壁３Ｂ２２からなり、天板３Ｂ２１の下面は略半円状の球面３Ｂ２３が形成され、インナーキャップ３Ａの上方突起３Ａ３の上面に、アウターキャップ３Ｂ２の球面３Ｂ２３を当接する状態でかぶせると共に、当該インナーキャップ３Ａの円盤３Ａ１と縦パイプ２Ａの上端が連結され、アウターパイプ体３Ｂ１の上端とアウターキャップ３Ｂ２の下端が連結され、
　Ｃ．旗取付け用クサリ部４は、アウターパイプ３Ｂの側面に沿って縦に配される所定長さのクサリ４Ａと、クサリ４Ａの上下端を回転パイプ部３に連結するアウターパイプ３Ｂにおける上下端に取付けられた上方バンド４Ｂと、下方バンド４Ｃから構成され、
　Ｄ．旗５の上下の取付けひも５Ａをクサリ４Ａに結束取付けるよう構成されていることを特徴とするものである。
【考案の効果】
【０００８】
　本考案は、上述の通り構成されているので次に記載する効果を奏する。
　１．アウターパイプ３Ｂが旗竿２に対して回転自在に構成されているので、風向きが変わっても旗が常時風下方向になびくことになり、竿に絡むことがない。
　２．旗５の上下の取付けひも５Ａを、旗取付け用クサリ部４におけるクサリ４Ａに結束取付けるよう構成されているので、クサリ４Ａの長さの範囲内であれば様々な大きさの旗を取付け使用できる。
　３．しかも、クサリを構成するリンクを利用して取付けできるので取付け易い。
【考案を実施するための最良の形態】
【０００９】
　実施例について図面を参照して説明する。
　１は本考案の工事用旗回転装置で、旗竿２と、この旗竿２の上方部分に回転自在に取付けられた回転パイプ部３と、回転パイプ部３の側面に上端と下端が固定された旗取付け用クサリ部４から構成されている。
【実施例１】
【００１０】
　Ａ．旗竿２は所定長さの縦パイプ２Ａで構成されている。
　Ｂ．回転パイプ部３は、インナーキャップ３Ａと、アウターパイプ３Ｂから構成されている。
　インナーキャップ３Ａは、縦パイプ２Ａの上端面に当接する円盤３Ａ１と、円盤の下面軸心に垂下された縦パイプ２Ａの上端開口部に嵌着固定された下方突起３Ａ２と、円盤の上面軸心に上方に向け突設された上端が球面に形成された上方突起３Ａ３から構成されている。
　ｂ１．アウターパイプ３Ｂは、アウターパイプ体３Ｂ１とアウターキャップ３Ｂ２から構成されている。
　ｂ２．アウターパイプ体３Ｂ１は、所定長さの縦パイプ３Ｂ１１で構成され、旗竿２の上方部分に回動可能の状態で装着されている。
　ｂ３．アウターキャップ３Ｂ２は、天板３Ｂ２１と、この天板の下面外周に連設された側壁３Ｂ２２からなり、天板３Ｂ２１の下面には略半円状の球面３Ｂ２３が形成されている。
　ｂ４．インナーキャップ３Ａの上方突起３Ａ３の上面に、アウターキャップ３Ｂ２の球面３Ｂ２３を当接する状態でかぶせると共に、当該インナーキャップ３Ａの円盤３Ａ１と縦パイプ２Ａの上端が連結され、アウターパイプ体３Ｂ１の上端とアウターキャップ３Ｂ２の下端が連結されている。
　この結果、アウターパイプ体３Ｂ１は球面３Ｂ２３を支点として回動することになる。　Ｃ．旗取付け用クサリ部４は、アウターパイプ３Ｂの側面に沿って縦に配される所定長さのクサリ４Ａと、クサリ４Ａの上下端を回転パイプ部３に連結するアウターパイプ３Ｂにおける上下端に取付けられた上方バンド４Ｂと、下方バンド４Ｃから構成されている。　Ｄ．旗５の上下の取付けひも５Ａをクサリ４Ａに結束取付ける。
【図面の簡単な説明】
【００１１】
【図１】斜視図である。
【図２】同上における一部を切欠いた要部拡大図である。
【図３】風向きと本考案のものと従来のものとを比較する平面図である。
【図４】風向きと本考案のものと従来のものとを比較する平面図である。
【符号の説明】
【００１２】
　１　工事用旗回転装置
　２　旗竿
　３　回転パイプ部
　４　旗取付け用クサリ部
　５　旗
【図１】
0003100306.tif 000003
【図２】
0003100306.tif 000004
【図３】
0003100306.tif 000005
【図４】
0003100306.tif 000006